(57)【要約】【課題】製造が容易で鮮明な立体像を得ることが可能な立体像結像装置の製造方法及び立体像結像装置を提供する。【解決手段】透明な合成樹脂からなる板材１３の一側に、傾斜面１５と垂直面１４とを有する断面三角形の溝１６、及び隣り合う溝１６によって形成される断面三角形の凸条１７がそれぞれ平行配置され、かつ断面三角形の凸条１７の頂部には微小平面部１９が形成された成型母材２１を、プレス成型、インジェクション成型、及びロール成型のいずれか１の方法で製造し、微小平面部１９に第一の光吸収層３７を形成し、傾斜面１５を影にして垂直面１４に対して斜め方向から金属噴射を行い、第一の光吸収層３７が形成された微小平面部１９を含む垂直面１４に金属反射面２３ａを形成して、金属反射面２３ａが形成された微小平面部１９に第二の光吸収層３８を形成することにより、第１、第２の光制御パネル１１、１１ａをそれぞれ製造する。【選択図】図５
2019219559.tif 000002
【特許請求の範囲】
【請求項１】
それぞれ一側に、隙間を有して垂直かつ平行に配置された複数の垂直光反射面が形成された第１、第２の光制御パネルを、それぞれの前記垂直光反射面が平面視して直交した状態で重ね合わせた立体像結像装置の製造方法であって、
前記第１、第２の光制御パネルは、それぞれ、
透明な合成樹脂からなる板材の一側に、傾斜面と垂直面とを有する断面三角形の溝、及び隣り合う前記溝によって形成される断面三角形の凸条がそれぞれ平行配置され、かつ前記断面三角形の凸条の頂部には微小平面部が形成された成型母材を、プレス成型、インジェクション成型、及びロール成型のいずれか１の方法で製造する第１工程と、
前記微小平面部に第一の光吸収層を形成する第２工程と、
前記傾斜面を影にして前記垂直面に対して斜め方向から金属噴射又は金属照射を行い、前記第一の光吸収層が形成された微小平面部を含む前記垂直面に金属反射面を形成する第３工程と、
前記金属反射面が形成された微小平面部に第二の光吸収層を形成する第４工程とを有して製造されることを特徴とする立体像結像装置の製造方法。
【請求項２】
透明な合成樹脂からなる板材の一側及び他側にそれぞれ、傾斜面と垂直面とを有する断面三角形の溝、及び隣り合う前記溝によって形成される断面三角形の凸条がそれぞれ平行配置され、前記断面三角形の凸条の頂部には微小平面部が形成され、かつ、該板材の一側及び他側に形成された前記垂直面は、平面視して直交状態となった成型母材を、プレス成型、インジェクション成型、及びロール成型のいずれか１の方法で製造する第１工程と、
前記成型母材の一側及び他側に形成された前記微小平面部にそれぞれ第一の光吸収層を形成する第２工程と、
前記成型母材の一側及び他側において、前記傾斜面を影にして前記垂直面に対して斜め方向から金属噴射又は金属照射を行い、前記第一の光吸収層が形成された微小平面部を含む前記垂直面に金属反射面をそれぞれ形成する第３工程と、
前記金属反射面が形成されたそれぞれの微小平面部に第二の光吸収層を形成する第４工程とを有することを特徴とする立体像結像装置の製造方法。
【請求項３】
請求項１又は２記載の立体像結像装置の製造方法において、前記第一、第二の光吸収層は黒色層であることを特徴とする立体像結像装置の製造方法。
【請求項４】
それぞれ一側に、隙間を有して垂直かつ平行に配置された複数の垂直光反射面が形成された第１、第２の光制御パネルが、それぞれの前記垂直光反射面を平面視して直交状態にして重ね合わされた立体像結像装置であって、
前記第１、第２の光制御パネルは、それぞれ、透明な合成樹脂からなる板材の一側に、傾斜面と垂直面とを有する断面三角形の溝、及び隣り合う前記溝によって形成される断面三角形の凸条がそれぞれ平行配置され、かつ前記断面三角形の凸条の頂部に微小平面部が形成された成型母材を有し、
前記第１、第２の光制御パネルの前記垂直面に、それぞれ前記凸条に入射した光を反射する金属被膜からなる前記垂直光反射面が形成され、
かつ、それぞれの前記微小平面部には、第一、第二の光吸収層を裏と表に有する光吸収部材を備え、前記微小平面部に表裏から入射する光が該微小平面部で反射するのを防止したことを特徴とする立体像結像装置。
【請求項５】
透明な合成樹脂からなる板材の一側及び他側にそれぞれ、傾斜面と垂直面とを有する断面三角形の溝、及び隣り合う前記溝によって形成される断面三角形の凸条がそれぞれ平行配置され、前記断面三角形の凸条の頂部に微小平面部が形成され、かつ、該板材の一側及び他側に形成された前記垂直面は、平面視して直交状態となった成型母材を有し、
前記成型母材の一側及び他側の前記垂直面に、それぞれ前記凸条に入射した光を反射する金属被膜からなる垂直光反射面が形成され、
前記微小平面部には、第一、第二の光吸収層を裏と表に有する光吸収部材を備え、前記微小平面部に表裏から入射する光が該微小平面部で反射するのを防止したことを特徴とする立体像結像装置。
【請求項６】
請求項４又は５記載の立体像結像装置において、前記第一、第二の光吸収層は黒色層であることを特徴とする立体像結像装置。
【発明の詳細な説明】
【技術分野】
【０００１】
本発明は、隙間を有して垂直に配置された複数の垂直光反射面（鏡面）が形成された立体像結像装置の製造方法及び立体像結像装置に関する。
【背景技術】
【０００２】
物体表面から発する光（散乱光）を用いて立体像を形成する装置として、例えば、特許文献１に記載の立体像結像装置（光学結像装置）がある。この結像装置は、２枚の透明平板の内部に、この透明平板の一方の面に垂直に多数かつ帯状の金属反射面からなる光反射面を一定のピッチで並べて形成した第１、第２の光制御パネルを有し、この第１、第２の光制御パネルのそれぞれの光反射面が直交するように、第１、第２の光制御パネルの一面側を向い合わせて密着させたものである。
しかし、光制御パネルの製造に際しては、金属反射面が一面側に形成された一定厚みの板状の透明合成樹脂板やガラス板を、金属反射面が一方側に配置されるように多数枚積層して積層体を作製し、この積層体から各金属反射面に対して垂直な切り出し面が形成されるように切り出す必要があり、作業性や製造効率が悪かった。
【０００３】
そこで、特許文献2のように、透明板材の表側に、傾斜面と垂直面とを有する断面三角形の溝、及び隣り合う溝によって形成される断面三角形の凸条がそれぞれ平行配置された成型母材を製造し、傾斜面に沿った方向から傾斜面が影になるようにして、垂直面に向けて金属噴射又は真空蒸着を行い鏡面を形成することで、第１、第２の光制御パネルを形成し、溝内に透明樹脂を充填して、第１、第２の光制御パネルをそれぞれの鏡面が平面視して直交するように重ね合わせる方法が提案されている。
このように、平行に多数形成された溝が傾斜面と垂直面を有し、溝の開放側に広くなるので、押型又は脱型が容易となる。更に、金属噴射を、傾斜面に沿った方向から傾斜面が影になるようにして垂直面に向けて行うので、傾斜面に鏡面が形成され難くなる。
【先行技術文献】
【特許文献】
【０００４】
【特許文献１】国際公開第２００９／１３１１２８号公報
【特許文献２】特許第６２０３９８９号公報
【発明の概要】
【発明が解決しようとする課題】
【０００５】
図８に示すように、特許文献２に係る立体像結像装置では、一方の光制御パネルを構成する成型母材９０の製造に際し、加工のし易さ、寸法精度の向上、並びに製造過程での疵の発生防止を図るため、凸条９１の断面三角形の角部に微小平面部９２を形成している。しかし、金属噴射や金属蒸着（金属照射も含む）を傾斜面９３に沿った方向又は傾斜面が影になる方向から行った場合、垂直面９４のみならず微小平面部９２にも鏡面９５が形成される。このため、図９（Ａ）、（Ｂ）に示すように、微小平面部９２にも鏡面９５が形成された対となる成型母材９０（即ち、光制御パネル９６）を用いて製造した立体像結像装置９７を使用した場合、１）微小平面部９２に形成された鏡面９５により光の散乱と正反射が発生して立体像が白っぽく光って見える、２）立体像結像装置９７を透過する結像に寄与する光が微小平面部９２の鏡面９５により反射され立体像が暗くなる、といった問題が発生する場合があった。また、微小平面部９２の裏面にも鏡面９５ａが形成されているので、立体像結像装置９７の裏面側から入射した光が鏡面９５ａで反射し、画像を不鮮明とする不要な光となる。
【０００６】
本発明はかかる事情に鑑みてなされたもので、製造が容易で鮮明な立体像を得ることが可能な立体像結像装置の製造方法及び立体像結像装置を提供することを目的とする。
【課題を解決するための手段】
【０００７】
前記目的に沿う第１の発明に係る立体像結像装置の製造方法は、それぞれ一側に、隙間を有して垂直かつ平行に配置された複数の垂直光反射面が形成された第１、第２の光制御パネルを、それぞれの前記垂直光反射面が平面視して直交した状態で重ね合わせた立体像結像装置の製造方法であって、
前記第１、第２の光制御パネルは、それぞれ、
透明な合成樹脂からなる板材の一側に、傾斜面と垂直面とを有する断面三角形の溝、及び隣り合う前記溝によって形成される断面三角形の凸条がそれぞれ平行配置され、かつ前記断面三角形の凸条の頂部には微小平面部が形成された成型母材を、プレス成型、インジェクション成型、及びロール成型のいずれか１の方法で製造する第１工程と、
前記微小平面部に第一の光吸収層を形成する第２工程と、
前記傾斜面を影にして前記垂直面に対して斜め方向から金属噴射又は金属照射を行い、前記第一の光吸収層が形成された微小平面部を含む前記垂直面に金属反射面を形成する第３工程と、
前記金属反射面が形成された微小平面部に第二の光吸収層を形成する第４工程とを有して製造される。
【０００８】
また、第２の発明に係る立体像結像装置の製造方法は、透明な合成樹脂からなる板材の一側及び他側にそれぞれ、傾斜面と垂直面とを有する断面三角形の溝、及び隣り合う前記溝によって形成される断面三角形の凸条がそれぞれ平行配置され、前記断面三角形の凸条の頂部には微小平面部が形成され、かつ、該板材の一側及び他側に形成された前記垂直面は、平面視して直交状態となった成型母材を、プレス成型、インジェクション成型、及びロール成型のいずれか１の方法で製造する第１工程と、
前記成型母材乃一側及び他側に形成された前記微小平面部にそれぞれ第一の光吸収層を形成する第２工程と、
前記成型母材の一側及び他側において、前記傾斜面を影にして前記垂直面に対して斜め方向から金属噴射又は金属照射を行い、前記第一の光吸収層が形成された微小平面部を含む前記垂直面に金属反射面をそれぞれ形成する第３工程と、
前記金属反射面が形成されたそれぞれの微小平面部に第二の光吸収層を形成する第４工程とを有する。
【０００９】
第１、第２の発明に係る立体像結像装置の製造方法において、前記第一、第二の光吸収層は黒色層であるのが好ましいが、可視光の７０％（好ましくは８０％）以上を吸収するものであれば、他の手段（他の色彩を含む）でもよい。
【００１０】
第３の発明に係る立体像結像装置は、それぞれ一側に、隙間を有して垂直かつ平行に配置された複数の垂直光反射面が形成された第１、第２の光制御パネルが、それぞれの前記垂直光反射面を平面視して直交状態にして重ね合わされた立体像結像装置であって、
前記第１、第２の光制御パネルは、それぞれ、透明な合成樹脂からなる板材の一側に、傾斜面と垂直面とを有する断面三角形の溝、及び隣り合う前記溝によって形成される断面三角形の凸条がそれぞれ平行配置され、かつ前記断面三角形の凸条の頂部に微小平面部が形成された成型母材を有し、
前記第１、第２の光制御パネルの前記垂直面に、それぞれ前記凸条に入射した光を反射する金属被膜からなる前記垂直光反射面が形成され、
かつ、それぞれの前記微小平面部には、第一、第二の光吸収層を裏と表に有する光吸収膜（光吸収部材の一例）が形成され、前記微小平面部に表裏から入射する光が該微小平面部で反射するのを防止した。
【００１１】
第４の発明に係る立体像結像装置は、透明な合成樹脂からなる板材の一側及び他側にそれぞれ、傾斜面と垂直面とを有する断面三角形の溝、及び隣り合う前記溝によって形成される断面三角形の凸条がそれぞれ平行配置され、前記断面三角形の凸条の頂部に微小平面部が形成され、かつ、該板材の一側及び他側に形成された前記垂直面は、平面視して直交状態となった成型母材を有し、
前記成型母材の一側及び他側の前記垂直面に、それぞれ前記凸条に入射した光を反射する金属被膜からなる垂直光反射面が形成され、
前記微小平面部には、第一、第二の光吸収層を裏と表に有する光吸収膜（光吸収部材の一例）が形成され、前記微小平面部に表裏から入射する光が該微小平面部で反射するのを防止した。
【００１２】
第３、第４の発明に係る立体像結像装置において、前記第一、第二の光吸収層は黒色層であるのが好ましい。
【発明の効果】
【００１３】
本発明に係る立体像結像装置の製造方法は、金属噴射又は金属照射によって微小平面部を含む垂直面に金属反射面を形成する第３工程の前後に、微小平面部に光吸収部材を形成する処理を行う（即ち、第２工程、第４工程を行う）ので、微小平面部に形成された不要金属による悪影響を無くすことができる。また、本発明に係る立体像結像装置は、微小平面部に、微小平面部からの光反射を防止する光吸収部材が形成されているので、立体像結像装置の製造に際して微小平面部に形成される不要金属による悪影響を無くすことができる。
従って、製造が容易で鮮明な立体像を得ることが可能な立体像結像装置を提供できる。
【図面の簡単な説明】
【００１４】
【図１】（Ａ）、（Ｂ）はそれぞれ本発明の第１の実施の形態に係る立体像結像装置の製造方法により製造した立体像結像装置の正断面図及び側断面図である。
【図２】（Ａ）は同立体像結像装置の製造方法の第１工程における成型母材の凸条及び溝の部分拡大側面図、（Ｂ）、（Ｃ）はそれぞれ変形例に係る成型母材の凸条及び溝の部分拡大側面図である。
【図３】（Ａ）〜（Ｅ）は同立体像結像装置の製造方法の説明図である。
【図４】（Ａ）は剥離処理の説明図、（Ｂ）は研磨処理の説明図である。
【図５】（Ａ）〜（Ｃ）はそれぞれ光吸収面とする処理が行われた微小平面部の部分拡大側面図である。
【図６】（Ａ）、（Ｂ）はそれぞれ本発明の第２の実施の形態に係る立体像結像装置の製造方法により製造した立体像結像装置の正断面図及び側断面図である。
【図７】（Ａ）〜（Ｅ）は同立体像結像装置の製造方法の説明図である。
【図８】従来例に係る立体像結像装置の製造方法の説明図である。
【図９】（Ａ）、（Ｂ）は同立体像結像装置の製造方法を用いて製造した立体像結像装置の正断面図及び側断面図である。
【発明を実施するための形態】
【００１５】
続いて、添付した図面を参照しつつ、本発明を具体化した実施の形態につき説明し、本発明の理解に供する。
まず、図１（Ａ）、（Ｂ）を参照しながら、本発明の第１の実施の形態に係る立体像結像装置の製造方法により（光制御パネルの製造方法を用いて）製造した立体像結像装置１０について説明する。
立体像結像装置１０は、対となる第１、第２の光制御パネル（平行光反射パネル）１１、１１ａを有している。なお、図１（Ａ）、（Ｂ）においては、第１の光制御パネル１１を下側に、第２の光制御パネル１１ａを上側に、それぞれ配置している。この第１の光制御パネル１１と第２の光制御パネル１１ａは同一の構成を有しているので、その構成要素には同一の番号を付与する。
【００１６】
第１の光制御パネル１１（第２の光制御パネル１１ａも同様）は片側（表側、一側）に（第１の光制御パネル１１では上部に、第２の光制御パネル１１ａでは下部に）、立設状態で（垂直に）隙間を有して平行配置された多数の帯状の垂直光反射面１２（鏡面）が形成されている。
具体的には、第１、第２の光制御パネル１１、１１ａはそれぞれ、第１の合成樹脂からなる板材（透明板材）１３の表側（一側）に垂直面１４及び傾斜面（非光反射面であって光透過面とするのが好ましい）１５を有する断面三角形の溝１６、及び隣り合う溝１６によって形成される断面三角形の凸条１７を備え、溝１６の垂直面１４に、凸条１７に入射した光を反射する垂直光反射面１２が形成されている。なお、上記した第１、第２の光制御パネル１１、１１ａの溝１６及び凸条１７はそれぞれ一定のピッチで平行（立体像結像装置１０としての機能を発揮できれば、±５度（好ましくは±２度）の範囲内で傾斜してもよい）に多数設けられている。
【００１７】
第１、第２の光制御パネル１１、１１ａは、垂直光反射面１２が平面視して直交配置された状態（例えば、８５〜９５度、より好ましくは８８〜９２度，（又は直交）範囲で交差配置された状態を含む）で、溝１６を向かい合わせて接合され一体化されている。この向かい合わせた第１の光制御パネル１１と第２の光制御パネル１１ａとの間には、第２の合成樹脂からなる接着剤１８が配置されて、溝１６の内部が接着剤１８で埋められている（充填されている）。
なお、図１（Ａ）、（Ｂ）においては、第１の光制御パネル１１の凸条１７の上面と、第２の光制御パネル１１ａの凸条１７の下面とが、間隔Ｓ（例えば、０を超え５ｍｍ以下程度が好ましい）を有して近接配置された状態を示しているが、当接配置された状態（隙間がない：０ｍｍ）でもよい。この間隔Ｓにも接着剤１８が充填されている（間隔Ｓが接着剤１８の層厚）。
【００１８】
この第１、第２の光制御パネル１１、１１ａの形状を構成する第１の合成樹脂（透明樹脂）と、溝１６に充填する接着剤１８となる第２の合成樹脂（透明樹脂）は、透明度の高い同じ種類の樹脂であることが好ましいが、透明度の高い異なる種類の透明樹脂であってもよい。
第１の合成樹脂としては、例えば、第２の合成樹脂よりも融点の高い熱可塑性樹脂であるゼオネックス（ＺＥＯＮＥＸ：登録商標、ガラス転移温度：１２０〜１６０℃、屈折率η１：１．５３５、シクロオレフィンポリマー）を使用できる。また、第２の合成樹脂としては、例えば、ゼオノア（ＺＥＯＮＯＲ：登録商標、ガラス転移温度：１００〜１０２℃、屈折率η２：１．５３、シクロオレフィンポリマー）を使用できる。
【００１９】
ここで、第１、第２の合成樹脂に同じ種類の熱可塑性樹脂を使用する場合、融点が同じであるため、第１の光制御パネル１１と第２の光制御パネル１１ａの間に、溶融状態の第２の合成樹脂が流し込まれることになる。
このとき、第１、第２の光制御パネル１１、１１ａの第２の合成樹脂との接触部分の第１の合成樹脂が部分的に軟化（溶融）するおそれもあるが、第１の合成樹脂と第２の合成樹脂が境界部分で混ざり合うため、例えば、屈折率の平均化や、第１の合成樹脂と第２の合成樹脂の結合力を高めることができる。
【００２０】
また、第１、第２の合成樹脂に異なる種類の透明樹脂を使用する場合、屈折率が同一又は近似しているのが好ましい。具体的には、第１の合成樹脂の屈折率η１と同一又は略等しい屈折率η２（例えば、±１０％の範囲、即ち（０．９〜１．１）×η１の範囲、好ましくは下限が０．９５×η１、上限が１．０５×η１、更に好ましくは、下限が０．９９×η１、上限が１．０１×η１、または，１η）を有する第２の合成樹脂を使用できる。
ここで、第１、第２の光制御パネル１１、１１ａを構成する第１の合成樹脂の屈折率に対し、第２の合成樹脂の屈折率を合わせる方法としては、例えば、異なる２種以上の樹脂を混合して屈折率を調整する方法がある（第１の合成樹脂も同様の方法で屈折率を調整できる）。この場合、第１、第２の合成樹脂の屈折率の数値を、上から３桁まで（小数点以下第２位まで）揃えることが好ましい。
【００２１】
なお、第２の合成樹脂からなる接着剤１８は、紫外線硬化型（例えば、ウレタン（メタ）アクリレート、ポリイソプレン骨格を有する（メタ）アクリレート、ポリブタジエン骨格を有する（メタ）アクリレート、（メタ）アクリレートモノマー等の（メタ）アクリレート）、熱硬化型、２液硬化型、及び常温硬化型のいずれか１であることが好ましい。また、例えば、ポリメチルメタクリレート（ＰＭＭＡ：アクリル系樹脂）、非晶質フッ素樹脂、シクロオレフィンポリマー（ＣＯＰ）、光学用ポリカーボネート、フルオレン系ポリエステル、ポリエーテルスルホン等の熱可塑性樹脂も使用できる（第１の合成樹脂も同様）。
【００２２】
第１、第２の光制御パネル１１、１１ａは、ｔを板材１３の厚み、ｈを垂直光反射面１２（凸条１７）の高さとすると、例えば、ｔ／ｈが０．５〜１０の範囲にあるのが好ましい。ここで、（ｔ＋ｈ）は０．５〜５ｍｍの範囲で、ｈは例えば０．０３〜３ｍｍの範囲であるのが実用的であるが、本発明はこの数値に限定されない。
また、垂直光反射面１２（垂直面１４）と傾斜面１５との角度θ１は１５〜６０度（好ましくは、上限を４５度）の範囲にあるのが好ましいが、厚みｔと高さｈに応じて変えることができる。
更に、垂直光反射面１２のピッチ（溝１６の幅）ｐに対する垂直光反射面１２の高さｈの比であるアスペクト比（ｈ／ｐ）は０．８〜５（好ましくは、下限が２、上限が３．５）の範囲にあるのが好ましく、これによって、より高さの高い垂直光反射面１２が得られる。なお、ピッチpは例えば０．０２〜1mm程度である。
【００２３】
断面三角形の鋭角をなす凸条１７の角部（先部、頂部）、及び断面三角形の鋭角をなす溝１６の角部（底部）にはそれぞれ、第１、第２の微小平面部１９、２０が設けられている。
この第１の微小平面部１９（微小平面部の一例）の幅ｗ１は、垂直光反射面１２が形成されるピッチｐの０．０１〜０．２倍（好ましくは、下限が０．０２倍）の範囲にあり、また、第２の微小平面部２０の幅ｗ２は、上記したピッチｐの０．０１〜０．３倍（好ましくは、下限が０．０２倍、上限が０．２倍）の範囲にあり、ｗ２≧ｗ１であるのが好ましい。
この第１、第２の微小平面部１９、２０を設けることにより、製品に疵が付き難くなり、製品精度が更に上がる。
【００２４】
垂直光反射面１２は、図２（Ａ）に示すように、第１の合成樹脂で形成される、後述する成型母材２１の溝１６の垂直面１４に、選択的に鏡面処理を行って形成されている（図３（Ｂ）参照）。
鏡面処理は、傾斜面１５を影にして、垂直面１４に対して斜め方向（傾斜面１５に沿った方向）から金属噴射（金属照射も含む）することにより行う。
この金属噴射には、スパッターリング、金属蒸着、金属微粒子の吹き付け、又はイオンビームの照射等がある。また、鏡面処理には、高反射率を有する金属（例えば、Ａｇ（銀）、Ａｌ（アルミニウム）、Ｎｉ（ニッケル）、Ｔｉ（チタン）、Ｃｒ（クロム）等）を用いており、垂直面１４に形成される金属被膜２２の表面（金属反射面）が垂直光反射面１２となる。なお、金属皮膜にはその他の金属を用いることもできる。
【００２５】
これにより、溝１６の傾斜面１５に鏡面が形成されるのを極力防止し、溝１６の垂直面１４に鏡面を形成することが可能となる。
しかし、上記した方法で溝１６の垂直面１４に鏡面処理を行った場合、第１の微小平面部１９にも金属皮膜が形成され、垂直面１４から第１の微小平面部１９にかけて金属反射面２３が形成されることになる。この金属皮膜が残存する光制御パネルを用いて立体像結像装置を製造し使用した場合、前記したように、鮮明な立体像が得られなくなるおそれがある（図８、図９（Ａ）、（Ｂ）参照）。
このため、以下に示す第１の微小平面部１９を非光反射面とする処理を行って、第１の微小平面部１９からの光反射を防止する。
【００２６】
図２（Ａ）、図３（Ｂ）に示す、金属噴射によって第１の微小平面部１９に付着した金属皮膜、即ち不要金属２４を、後述する図４（Ａ）の剥離処理、図４（Ｂ）の研磨処理、又は溶解処理によって除去し、第１の微小平面部１９を透明な光通過面とすることができる。なお、第１の微小平面部１９のみに紫外線剥離樹脂を塗布して金属噴射を行った後、第１の微小平面部１９から不要金属２４のみを除去することもできる。
また、図５（Ａ）〜（Ｃ）に示すように、第１の微小平面部１９に、直接、第１の微小平面部１９からの光反射を防止する光吸収膜３４〜３６を形成し、光吸収面とすることもできる。
【００２７】
図５（Ａ）は、前記した不要金属２４が除去された、又は金属噴射が行われる前の、第１の微小平面部１９の上（表面）に、第１の着色膜である光吸収膜３４を形成している（第１の微小平面部１９を着色する処理）。
図５（Ｂ）は、第１の微小平面部１９に付着した不要金属２４を除去することなく、この不要金属２４の上（表面）を覆うように、第１の着色膜である光吸収膜３５を形成している（不要金属２４の上を着色する）。
図５（Ｃ）は、予め第１の微小平面部１９の表面に第１の着色膜（第一の光吸収層の一例）３７を形成した後、上記した金属噴射を行って垂直面１４から第１の着色膜３７の表面にかけて金属反射面２３ａを形成し、形成された不要金属２４ａの表面を覆うように第２の着色膜（第二の光吸収層の一例）３８を形成している。従って、第１の微小平面部１９には、不要金属２４a（金属反射面２３aの一部）の裏と表に第１の着色膜３７と第２の着色膜３８を有する光吸収膜（光吸収部材）３６が形成される。
【００２８】
これによって、第１の着色膜３７により、例えば、第１の微小平面部１９に内部から入射する光を吸収することができ、第２の着色膜３８により、不要金属２４ａからの光反射を防止することができる。このため、第２の着色膜３８には、隠蔽度が高い着色膜を使用して、不要金属２４ａの表面を覆うことが好ましい。
上記した第１、第２の着色膜（以下、単に着色膜とも記載）の色は、光吸収ができる色であれば特に限定されるものではないが、黒（黒色層）が好ましく、着色膜を形成する黒色インクとしては、隠蔽度が高い顔料系や光吸収能が高い艶消し系等（例えば、カーボンブラックを含有したインク）を使用できる。なお、各着色膜の厚みは、例えば、０μｍ（着色材を不要金属に含浸させる場合）から、数μｍ〜数十μｍ程度であればよい。
【００２９】
この着色膜を、第１の微小平面部又は不要金属（以下、第１の微小平面部等と記載）の上に形成する方法としては、例えば、従来公知のスクリーン印刷やインクジェット印刷等を用いることができる。
スクリーン印刷とは、枠にスクリーンメッシュを張って感光材を塗布し、第１の微小平面部等に対応する領域を露出させたマスクを、成型母材上に配置した後、マスク上に配置したインクをスキージで第１の微小平面部等に押し付けることにより、第１の微小平面部等に着色膜を形成する方法である。なお、スクリーンメッシュは、シルク製のものを使用することが好ましいが、ポリエステルなどの合成繊維製や金属繊維製のものでもよい。
インクジェット印刷とは、インクに圧力や熱を加えて微粒子とし、第１の微小平面部等に吹き付けることにより、第１の微小平面部等に着色膜を形成する方法である。
【００３０】
傾斜面１５は、透明な成型母材２１のままでよく、光透過性のよい均一な平面を有しているが、後述する成型母材２１の製造に際し、型抜き抵抗を下げるため、傾斜面１５に複数の凹凸（ディンプル）を形成する梨地処理（脱型表面処理の一例）を行うこともできる。この傾斜面１５は、図２（Ａ）に示すように平面となっているが、図２（Ｂ）、（Ｃ）に示すように、傾斜面２５、２６を、上側の第１の微小平面部１９の溝側端部（上端）と、下側の第２の微小平面部２０の垂直面側端部（下端）とを結ぶ、仮想平面２７に対して窪む凹面で構成することもできる。具体的には、以下の通りである。
図２（Ｂ）に示す傾斜面２５は、断面湾曲又は円弧状の曲面で構成されている。
図２（Ｃ）に示す傾斜面２６は、上側に形成された平面と、これに連接する下側に形成された曲面（断面湾曲又は円弧状）とで構成されている。
【００３１】
なお、傾斜面は、凹面であれば上記した形状に限定されるものではなく、例えば、２つ以上の複数の平面で構成することもでき、この場合、隣接する平面のなす角を、１８０度未満（例えば、１２０〜１７５度、好ましくは、下限が１５０度、上限が１７０度）となるように、構成することもできる。
これにより、図２（Ａ）に示すように、平面状の傾斜面１５の断面傾斜角度θ１を超える角度（例えば、θ１＋（１〜１０度））で、傾斜面１５に沿って、垂直面１４に金属噴射することで、傾斜面１５に鏡面が形成されるのを更に防止し、溝１６の垂直面１４に鏡面を形成することが可能となる（図２（Ｂ）、（Ｃ）も同様）。
このため、傾斜面１５の仮想平面２７に対する窪み量は、金属噴射の条件に応じて種々変更できる。
【００３２】
これにより、図１（Ａ）、（Ｂ）において、立体像結像装置１０の左下側から斜めに入光した対象物からの光Ｌ１、Ｌ２は、下側の垂直光反射面１２のＰ１、Ｐ２で反射し、更に上側の垂直光反射面１２のＱ１、Ｑ２で反射して、立体像結像装置１０の上側に立体像を形成できる。
この立体像結像装置１０は、上記したように、第１、第２の光制御パネル１１、１１ａを、溝１６が向かい合うようにして重ね合わせるので、第１、第２の光制御パネル１１、１１ａの垂直光反射面１２が近づき、対象物からの光の集光度合いが向上し、より鮮明な画像を得ることができる。
【００３３】
なお、本実施の形態においては、鏡面処理によって垂直面１４に形成された金属被膜２２の裏側（図１（Ａ）、（Ｂ）では左側）を第１、第２の光制御パネル１１、１１ａの垂直光反射面１２として使用したが、金属被膜２２の表側（図１（Ａ）、（Ｂ）では右側）を垂直光反射面として使用することもできる。
この立体像結像装置１０の動作において、空気中から板材１３へ入光する場合、及び板材１３から空気中に出光する場合に、光の屈折現象、場合によって全反射現象を起こすので、これらを考慮して立体像結像装置１０を使用する必要がある（以下の実施の形態においても同様である）。なお、傾斜面１５はそのまま光通過面となり、第１の微小平面部１９は光通過面又は光吸収面となる。
【００３４】
続いて、本発明の第１の実施の形態に係る立体像結像装置１０の製造方法について、図３（Ａ）〜（Ｅ）を参照しながら説明するが、第１の光制御パネル１１の製造方法と第２の光制御パネル１１ａの製造方法は同じであるので、第１の光制御パネル１１の製造方法を主として説明する。なお、図３（Ａ）〜（Ｃ）は第１の光制御パネル１１の製造方法を示している。
【００３５】
（第１工程）
図３（Ａ）に示すように、板材１３の表側（一側）に、垂直面１４と傾斜面１５とを有する断面三角形の溝１６、及び隣り合う溝１６によって形成される断面三角形の凸条１７がそれぞれ平行配置され、かつ凸条１７の角部と溝１６の角部にそれぞれ第１、第２の微小平面部１９、２０が形成された、第１の合成樹脂からなる成型母材２１を、プレス成型、インジェクション成型、及びロール成型のいずれか１の方法によって製造する。この成型母材２１を形成する第１の合成樹脂としては、紫外線硬化型、熱硬化型、２液硬化型、及び常温硬化型のいずれか１を使用することが好ましく、また、ポリメチルメタクリレート、非晶質フッ素樹脂、シクロオレフィンポリマー、光学用ポリカーボネート、フルオレン系ポリエステル、ポリエーテルスルホン等の熱可塑性樹脂も使用できる。
【００３６】
成型母材２１の寸法については、第１、第２の光制御パネル１１、１１ａの寸法と略同じであるが、前述の通り、溝１６の部分が外広がりのテーパになっているので、更には傾斜面１５に梨地処理を施すので、脱型性はよく、長尺の垂直面１４を容易に得ることができる。なお、傾斜面１５に梨地処理を施す方法としては、成型母材２１を製造する型枠の、傾斜面１５との当接面に複数の凹凸を形成する方法がある。
更に、成型母材２１には、成型時に発生した残留応力を除去するためのアニーリング処理を行うことが好ましい。このアニーリング処理は、例えば成型母材２１を、電気炉や熱風乾燥機、又は熱水槽（加熱溶媒）に所定時間入れることによって行う（以下の実施の形態においても同様）。
【００３７】
（第２工程）
図２（Ａ）、図３（Ｂ）に示すように、垂直面１４に対して例えばスパッターリングを行う。これにより、垂直面１４から第１の微小平面部１９にかけて金属反射面２３が形成される。
ここで、スパッターリングとは、真空中で不活性ガス（主にアルゴン）を導入し、ターゲットにマイナスの電圧を引加してグロー放電を起こさせ、不活性ガスをイオン化し（又は、イオン化しない原子状態で）、高速でターゲットの表面にガスイオンを衝突させ、ターゲットを構成する成膜材料（例えば、Ａｇ、Ａｌ、Ｎｉ等）の金属粒子を弾き出し、勢いよく基材（ここでは、垂直面１４）に付着させ堆積させる技術である。
【００３８】
このとき、ガスの流れ２８を傾斜面１５に沿って（斜め方向（特定方向）から）、かつ傾斜面１５が影になるようにして、垂直面１４に向けてスパッターリング（金属粒噴射も含む）を行うと、傾斜面１５には成膜材料が付着し難く、垂直面１４に付着する（第１の微小平面部１９にも付着する）。特に、傾斜面１５の角度θ１が小さいほど、また、図２（Ｂ）、（Ｃ）に示した傾斜面２５、２６を採用するほど、選択的付着効率がよい。
なお、上記したスパッターリングの代わりに、他の鏡面処理、例えば、金属蒸着、金属微小粒子の吹き付け、又はイオンビームの照射を用いて、特定方向から金属噴射、金属照射を行うこともできる。ここで、金属蒸着（金属めっき）を行った場合、傾斜面の金属めっきをレーザー又は薬品等で除去することもできる。
【００３９】
（第３工程）
図３（Ｃ）に示すように、第２工程の金属噴射によって第１の微小平面部１９に付着した金属皮膜、即ち不要金属２４を、剥離処理、研磨処理（研削処理）、又は溶解処理によって除去する。
剥離処理による不要金属２４の除去は、図４（Ａ）に示す以下の方法で行う。
まず、平面となったシート２９の表面に液状接着剤３０を塗布する。
ここで、シート２９には、紙製や布製のものを使用できるが、平滑で破れにくいものであれば特に限定されるものではない。また、液状接着剤３０には、上記した第１の合成樹脂又は第２の合成樹脂と同一成分のものを使用できるが、作業効率の観点から、より短時間で硬化するものが好ましい（以上、工程ａ）。
【００４０】
次に、シート２９の上に金属噴射が行われた成型母材２１の表側（凸条側）、即ち、第１の微小平面部１９側を載せる。
これにより、第１の微小平面部１９に付着した不要金属２４を、シート２９上の液状接着剤３０に密着させることができる。
従って、シート２９上の液状接着剤３０は、シート２９上に満遍なく行き渡った状態（シート２９上を覆った状態）で配置されていればよく、過剰に厚くする必要は無い（極薄の状態、即ち、垂直面１４に形成される金属被膜２２に付着しない程度の厚みであればよい。以上、工程ｂ）。
上記した液状接着剤３０を硬化させ、硬化した液状接着剤３０と不要金属２４を一体化する（以上、工程ｃ）。
【００４１】
そして、液状接着剤３０が硬化した状態でシート２９を成型母材２１から引き剥がす。具体的な方法としては、成型母材２１をシート２９の上側に配置しシート２９を固定した状態で、成型母材２１を上昇させる方法や、シート２９を成型母材２１の上側に配置し成型母材２１を固定した状態で、シート２９を成型母材２１から引き剥がす方法がある。
これにより、不要金属２４を、シート２９と共に成型母材２１から剥離できる。
このとき、不要金属２４のみが剥離されることが好ましいが、垂直面１４の頂部に位置する（不要金属２４に連続する）金属被膜２２が多少剥離する程度であれば問題ない（以上、工程ｄ）。
【００４２】
研磨処理による不要金属２４の除去は、図４（Ｂ）に示す以下の方法で行う。
まず、金属噴射が行われた成型母材２１の溝１６に第２の合成樹脂３１を充填し硬化させる。この充填方法は、後述する第４工程と同様の方法により実施できる。ここで、第２の合成樹脂３１は、接着剤１８と同様に、板材１３を形成する第１の合成樹脂の屈折率の０．９〜１．１倍の屈折率を有している。
なお、第２の合成樹脂３１は、不要金属２４が覆われる高さまで充填しているが、少なくとも垂直面１４の上端位置（第１の微小平面部１９の表面）まで充填すればよい（以上、工程ａ）。
続いて、成型母材２１の表側（凸条側）を、第１の微小平面部１９に形成された不要金属２４が無くなるまで研磨する。なお、研磨処理は、露出する第１の微小平面部１９の表面が透明な状態となるように行う。ここで、研磨には、ペースト状の研磨材等を使用できるが、薬液に反応して研磨材が消失するものも使用できる（以上、工程ｂ）。
【００４３】
溶解処理による不要金属２４の除去は、以下の方法で行う。
まず、金属噴射が行われた成型母材２１の溝１６を下向きにする（以上、工程ａ）。
次に、第１の微小平面部１９にある不要金属２４を溶解液に漬けて溶解除去する。このとき、成型母材２１を機械的揺動又は超音波によって加振することが好ましい。
この溶解液は、不要金属２４の成分に応じて決定する。例えば、不要金属がＡｌで構成されていれば、水酸化ナトリウムを使用でき、Ａｇで構成されていれば、硝酸や熱濃硫酸を使用できる（以上、工程ｂ）。
不要金属２４が溶解した後、第１の微小平面部１９上に残った溶解液を、例えば、水やエタノール（有機溶剤）等の洗浄液を用いて洗浄する（以上、工程ｃ）。
そして、洗浄液を乾燥する（以上、工程ｄ）。
【００４４】
以上の方法により、垂直面１４の表面に金属被膜（金属反射膜）２２が形成され、その表面が垂直光反射面１２となり、第１の光制御パネル１１が得られる（第２の光制御パネル１１ａも同様）。
なお、第１の微小平面部１９には、図５（Ａ）〜（Ｃ）に示す光吸収膜３４〜３６を形成することもできる。
図５（Ａ）に示す光吸収膜３４は、上記した不要金属２４が除去された第１の微小平面部１９の表面に、前記した印刷方法で形成する。
図５（Ｂ）に示す光吸収膜３５は、第１の微小平面部１９に付着した不要金属２４を除去することなく、この不要金属２４の表面を覆うように、前記した印刷方法で形成する。
図５（Ｃ）に示す光吸収膜３６は、上記した第１工程を行った後、かつ、第２工程を行う前に、第１の微小平面部１９の表面に、前記した印刷方法で第１の着色膜３７を形成し（第１の微小平面部１９を着色する処理）、更に、上記した金属噴射を行って垂直面１４から第１の着色膜３７の表面にかけて金属反射面２３ａを形成し（第２工程と同様の方法を行い）、形成された不要金属２４ａの表面を覆うように、前記した印刷方法で第２の着色膜３８を形成することで、得られる。
着色膜（例えば、黒色層、黒色膜）の形成は塗布、部分浸漬等でもできる。なお、以上の着色方法は、以下に説明する本発明の第２の実施の形態に係る立体像結像装置の製造方法により製造した立体像結像装置にも適用できる。
【００４５】
（第４工程）
まず、２組の光制御パネル（即ち、第１、第２の光制御パネル１１、１１ａ）を用意する。
そして、図３（Ｄ）に示すように、第１工程〜第３工程を経て製造された第１の光制御パネル１１を、溝１６が上方に開口した状態で支持台３２上に配置し、この第１の光制御パネル１１の上に、前記した第２の合成樹脂からなる接着剤１８を載せる。なお、接着剤１８は液体（ゼリー状）である。
この接着剤１８には、紫外線硬化型、熱硬化型、２液硬化型、及び常温硬化型のいずれか１を使用することが好ましく、また、ポリメチルメタクリレート、非晶質フッ素樹脂、シクロオレフィンポリマー、光学用ポリカーボネート、フルオレン系ポリエステル、ポリエーテルスルホン等の熱可塑性樹脂も使用できる。
【００４６】
続いて、第１の光制御パネル１１上に、第２の光制御パネル１１ａを、それぞれの垂直光反射面１２が平面視して直交配置された状態で、溝１６を向かい合わせて配置する。
そして、脱気状態（減圧状態、更には真空状態）で、第２の光制御パネル１１ａをプレス３３で第１の光制御パネル１１に対して押圧し、第１、第２の光制御パネル１１、１１ａの溝１６内に接着剤１８を充填して（溝１６を接着剤１８で埋めて）、第１、第２の光制御パネル１１、１１ａを接合する。
このように、第１、第２の光制御パネル１１、１１ａの接合作業を、脱気状態で行うことで、内部に気泡が発生することを防止できる。なお、第１、第２の光制御パネル１１、１１ａの接合中に超音波等の振動を加えて（加振して）、内部に発生した気泡を除去することもできる。
【００４７】
なお、接着剤１８には、熱可塑性樹脂からなる板状（シート状）のものを使用することもできる。
この場合、まず、第１の光制御パネル１１の上に板状の接着剤１８を載せ、更にこの接着剤１８の上に第２の光制御パネル１１ａを載せる。次に、脱気状態で、第２の光制御パネル１１ａをプレス３３で第１の光制御パネル１１に対して押圧しながら、少なくとも接着剤１８を加熱し軟化（更には溶融）させて、溝１６を接着剤１８で埋めた後、冷却する。
また、脱気状態で、溝１６を向かい合わせて対向配置された第１の光制御パネル１１と第２の光制御パネル１１ａとの間に、接着剤１８を注入することもできる。この場合、接着剤１８の注入部以外を封止する。
【００４８】
なお、前記した第３工程において、研磨処理による不要金属２４の除去を行った場合、第１、第２の光制御パネル１１、１１ａの溝１６には第２の合成樹脂３１が充填され硬化している。
このため、第２の合成樹脂３１が充填され硬化した第１の光制御パネル１１を、溝１６の開口側を上にした状態で支持台３２上に配置し、この第１の光制御パネル１１の上に透明樹脂（液体（ゼリー状））を載せる。続いて、第１の光制御パネル１１上に、第２の合成樹脂３１が充填され硬化した第２の光制御パネル１１ａを、それぞれの垂直光反射面１２が平面視して直交配置された状態で、溝１６の開口側を向かい合わせて配置して、上記した方法により第１、第２の光制御パネル１１、１１ａを接合する。
ここで、第１、第２の光制御パネル１１、１１ａを接合する透明樹脂には、前記した第２の合成樹脂や任意の屈折率の透明樹脂（接着剤）を使用することができる。
これによって、図３（Ｅ）に示す立体像結像装置１０が完成する。
【００４９】
次に、図６（Ａ）、（Ｂ）を参照しながら、本発明の第２の実施の形態に係る立体像結像装置の製造方法により製造した立体像結像装置４０について説明するが、前記した立体像結像装置１０と同一部材には同一符号を付し、詳しい説明を省略する。
前記した立体像結像装置１０は、第１、第２の光制御パネル１１、１１ａを別々に製造し、溝１６を向かい合わせた状態で重ね合わせて形成したものである。一方、この立体像結像装置４０は、第１の合成樹脂からなる板材（透明板材）４１の表裏側（両側）に形成される溝４２、４３及び凸条４４、４５を、金型（図示しない）によって一体成型して、形成されたものである。
【００５０】
この立体像結像装置４０は、中央に位置する板材４１の表側（一側）に、垂直面４６と傾斜面４７を有する断面三角形の溝（第１の溝）４２、及び隣り合う溝４２によって形成される断面三角形の凸条（第１の凸条）４４が、それぞれ平行配置され、板材４１の裏側（他側）に、垂直面４８と傾斜面４９を有する断面三角形の溝（第２の溝）４３、及び隣り合う溝４３によって形成される断面三角形の凸条（第２の凸条）４５が、それぞれ平行配置された、第１の合成樹脂からなる成型母材５０を有している。そして、成型母材５０の断面三角形の凸条４４、４５の頂部には、第１の微小平面部１９が形成されている。
【００５１】
この板材４１の表側に形成された溝４２と、板材４１の裏側に形成された溝４３とは、平面視して直交（例えば、８５〜９５度、より好ましくは８８〜９２度の範囲で交差した状態を含む）している。
溝４２、４３は、立体像結像装置１０の溝１６と同様の構成であり、凸条４４、４５は、立体像結像装置１０の凸条１７と同様の構成である。この溝４２、４３の垂直面４６、４８に、金属皮膜２２からなる垂直光反射面１２が形成されている。従って、立体像結像装置４０は、一側及び他側に垂直光反射面１２が平面視して直交状態で形成されている。
この垂直光反射面１２の高さをｈ１とすると、板材４１の厚みＴは、例えば、０．５×ｈ１〜３×ｈ１（更には、上限が１×ｈ１）の範囲にあるのが好ましい。また、垂直光反射面１２のピッチｐに対する垂直光反射面１２の高さｈ１のアスペクト比（ｈ１／ｐ）は０．８〜５の範囲にあるのが好ましい。
【００５２】
なお、溝４２、４３の内部は、第２の合成樹脂からなる充填剤１８ａ（前記した接着剤１８と同一成分）で埋められている（充填されている）。この溝４２、４３を埋めた充填剤（充填材）１８ａの表面は、特に処理せずにそのままの状態でもよく、また、必要に応じて硬化後、研削（研磨）してもよい。
また、充填剤１８ａの表面（露出面）に、例えば、第１の合成樹脂又は第２の合成樹脂からなる透明平板を配置することもできる。なお、透明平板は、凸条４４、４５の頂部（第１の微小平面部１９）に当接してもよく、また、凸条４４、４５の頂部とは隙間を有してもよい。
このように、充填剤１８ａの表面に透明平板を配置する場合、立体像結像装置を補強できるため、板材４１の厚みＴをより薄くできるので好ましい。
【００５３】
上記した立体像結像装置４０は、板材４１の両側（一側及び他側）に、断面三角形の第１、第２の溝４２、４３、及び断面三角形の第１、第２の凸条４４、４５がそれぞれ形成された成型母材５０を用いるので、第１、第２の溝４２、４３及び第１、第２の凸条４４、４５を一体的に製造でき、立体像結像装置４０の製造が容易になる。
なお、第１の微小平面部１９は、前記した立体像結像装置１０と同様に、金属噴射又は金属照射によって第１の微小平面部１９に付着する不要金属２４が除去され、透明な光通過面としている。また、前記したように、第１の微小平面部１９に、第１の微小平面部１９からの光反射を防止する光吸収膜３４〜３６を形成することもできる（図５（Ａ）〜（Ｃ）参照）。
【００５４】
続いて、本発明の第２の実施の形態に係る立体像結像装置４０の製造方法について、図７（Ａ）〜（Ｅ）を参照しながら説明するが、前記した第１の実施の形態に係る立体像結像装置１０の製造方法と同様の部分については、詳しい説明を省略する。
【００５５】
（第１工程）
図７（Ａ）に示すように、板材４１の両側に、断面三角形の溝４２、４３、及び隣り合う溝４２、４３によって形成される断面三角形の凸条４４、４５がそれぞれ形成され、しかも凸条４４、４５の角部と溝４２、４３の角部にそれぞれ第１、第２の微小平面部１９、２０が形成され、かつ板材４１の両側にそれぞれ形成された溝４２、４３が平面視して直交して配置された成型母材５０を、プレス成型、インジェクション成型、及びロール成型のいずれか１の方法によって製造する。
この成型母材５０は、前記した立体像結像装置１０の成型母材２１と同様、第１の合成樹脂によって形成されている。
【００５６】
（第２工程）
図７（Ｂ）に示すように、垂直面４６に対して例えばスパッターリングを行う。これにより、垂直面４６から第１の微小平面部１９にかけて金属反射面２３が形成される。具体的には、ガスの流れ２８を傾斜面４７に沿って（傾斜面４７に沿った方向（特定方向）から）、かつ傾斜面４７が影になるようにして、垂直面４６に向けてスパッターリング（金属粒噴射も含む）を行う。なお、垂直面４８も同様の方法で鏡面処理を行う。
この鏡面処理には、スパッターリングの代わりに、金属蒸着、金属微小粒子の吹き付け、又はイオンビームの照射を用いて、金属噴射を行うこともできる。
【００５７】
（第３工程）
図７（Ｃ）に示すように、第２工程の金属噴射によって第１の微小平面部１９に付着した金属皮膜、即ち不要金属２４を、前記した剥離処理、研磨処理（研削処理）、又は溶解処理によって除去する。なお、第１の微小平面部１９には、前記したように、光吸収膜３４〜３６を形成することもできる（図５（Ａ）〜（Ｃ）参照）。
これによって、一側の垂直面４６及び他側の垂直面４８の各表面に金属被膜（金属反射膜）２２が形成され、その表面が垂直光反射面１２となり、立体像結像装置本体５１が得られる。
【００５８】
（第４工程）
図７（Ｄ）に示すように、立体像結像装置本体５１の上に、前記した第２の合成樹脂からなる充填剤１８ａを載せ、この充填剤１８ａで溝４２を埋めて硬化させる。そして、立体像結像装置本体５１を反転させ、立体像結像装置本体５１の上に、前記した第２の合成樹脂からなる充填剤１８ａを載せ、この充填剤１８ａで溝４３を埋めて硬化させる。
なお、使用する充填剤１８ａは液体（ゼリー状）である。
ここで、各溝４２、４３への充填剤１８ａの充填は、脱気状態で行うことが好ましい。また、各溝４２、４３への充填剤１８ａの充填の際（又は、充填後）には、平面化処理を行うことが好ましい。この平面化処理は、プレス等で押す場合、金型で成型する場合の他、切削又は研磨による場合や、液体の充填剤１８ａ上に透明平板を配置する場合も含む。
なお、前記した第３工程において、研磨処理による不要金属２４の除去を行う場合、上記した第４工程の処理が不要となる。
これにより、図７（Ｅ）に示す露出面が平面となった平板状の立体像結像装置４０が得られる。
【００５９】
以上、本発明を、実施の形態を参照して説明してきたが、本発明は何ら上記した実施の形態に記載の構成に限定されるものではない。例えば、前記したそれぞれの実施の形態や変形例の一部又は全部を組合せて本発明の立体像結像装置の製造方法及び立体像結像装置を構成する場合も本発明の権利範囲に含まれる。
【産業上の利用可能性】
【００６０】
本発明に係る立体像結像装置の製造方法及び立体像結像装置は、アスペクト比の比較的高い立体像結像装置を容易にかつ安価に製造できる。これによって、立体像結像装置を、映像を必要とする機器（例えば、医療機器、家庭電気製品、自動車、航空機、船舶等）で有効に利用できる。
【符号の説明】
【００６１】
１０：立体像結像装置、１１：第１の光制御パネル、１１ａ：第２の光制御パネル、１２：垂直光反射面、１３：板材、１４：垂直面、１５：傾斜面、１６：溝、１７：凸条、１８：接着剤、１８ａ：充填剤、１９：第１の微小平面部、２０：第２の微小平面部、２１：成型母材、２２：金属被膜、２３、２３ａ：金属反射面、２４、２４ａ：不要金属、２５、２６：傾斜面、２７：仮想平面、２８：ガスの流れ、２９：シート、３０：液状接着剤、３１：第２の合成樹脂、３２：支持台、３３：プレス、３４〜３６：光吸収膜、３７：第１の着色膜、３８：第２の着色膜、４０：立体像結像装置、４１：板材、４２、４３：溝、４４、４５：凸条、４６：垂直面、４７：傾斜面、４８：垂直面、４９：傾斜面、５０：成型母材、５１：立体像結像装置本体
【図１】
2019219559.tif 000003
【図２】
2019219559.tif 000004
【図３】
2019219559.tif 000005
【図４】
2019219559.tif 000006
【図５】
2019219559.tif 000007
【図６】
2019219559.tif 000008
【図７】
2019219559.tif 000009
【図８】
2019219559.tif 000010
【図９】
2019219559.tif 000011